(57)【要約】【課題】  画像処理によって、口金に取り付けられたピンの不良を検出する場合の画像認識性向上を図り、ピンの検査の精度、効率を高める。【解決手段】  ソケットへ挿入する方向へ突出する突出部を有する口金本体１１１と、上記突出部を囲んで配置され口金本体１１１へ固定される複数のピン１１２とを有する口金１１０を備え、突出部は、黒色と暗色とのいずれかに着色し、ピンの検査の画像処理において、着色された突出部をピン１１２の背景として使用する。【選択図】        図１
2005079033.tif 000002
【特許請求の範囲】
【請求項１】
四本ピンが二本ずつ平行に配置され、上記二本ずつ平行に配置されピンの間に上記ピンよりも高くなるように形成された突出部を有する口金を備え、上記突出部を黒色と暗色とのいずれかにしたことを特徴とする蛍光ランプ。
【請求項２】
ソケットへ挿入する方向へ突出する突出部を有する口金本体と、
上記突出部を囲んで配置され上記口金本体へ固定される複数のピンとを
有する口金を備え、
上記突出部は、黒色と暗色とのいずれかであることを特徴とする蛍光ランプ。
【請求項３】
上記蛍光ランプは、片口金形蛍光ランプであることを特徴とする請求項１または２に記載の蛍光ランプ。
【請求項４】
突出部分の周囲にピンが取り付けられた口金の画像を画像処理して口金に対するピンの取り付け不良を検出する場合の画像認識性向上のための口金組成物として黒色と暗色とのいずれかの着色剤の使用。
【請求項５】
突出部分の周囲にピンが取り付けられた口金の画像を画像処理して口金に対するピンの取り付け不良を検出する場合の画像認識性向上のための、黒色と暗色とのいずれかに着色した突出部分の使用。
【発明の詳細な説明】
【技術分野】
【０００１】
この発明は、蛍光ランプの口金に関する。
【背景技術】
【０００２】
蛍光ランプは、その形によって、口金本体へピンを圧入する口金を有する。このような蛍光ランプの一例として、片口金形蛍光ランプがある。上記片口金形蛍光ランプは、上記圧入したピンへリード線を挿入して、電源と蛍光ランプとを電気的に接続する。
【０００３】
上記ピンは、製品製造工程において、最終的に目視チェックを実施して、ピンが口金本体へ正確に圧入されているか、あるいは、ピンに挿入されたリード線がピンから露出していないか、等の検査を実施する。検査にあたっては、ピンへ光を照射してピンの輪郭を目視チェックすることによって実施する。あるいは、ピンの状態をセンサーによって検知し、ピンの画像を撮影する画像処理によって不良品を検出する。
【特許文献１】特開平１０−９７８３９号公報
【特許文献２】特開平０８−２７３６０２号公報
【発明の開示】
【発明が解決しようとする課題】
【０００４】
このように、ピンの検査にあたっては、ピンへ光を照射するため、ピンに光が反射し、チェックがしにくいことが多い。そこで、ピンの背景として、黒色、あるいは、暗色の背景を設置して、光の反射を防止することができる。この場合、黒色、あるいは、暗色の背景を設置した場所へ、蛍光ランプを配置し、蛍光ランプへ光を照射することによって、蛍光ランプの外側の輪郭を明確にする手法がとられていた。
【０００５】
しかしながら、片口金形蛍光ランプは、突出部の周囲にピンが配置されているため、ピンの背景に突出部が存在している。また、突出部は、通常、口金本体の色と同じ白色である。従って、片口金形蛍光ランプにおいて、ピンと突出部との間に、黒色、あるいは、暗色の背景を設置するには、検査する場合に、突出部とピントの間に、黒色、あるいは、暗色の背景を設置する必要が生じる。このため、製品製造工程におけるピンの検査では、作業量が多くなるという問題点があった。
【０００６】
一方、白色の突出部を背景としてピンの検査を実施した場合には、光が反射して、ピンの輪郭がはっきりせず、検査の誤差が発生しやすい環境となっていた。
【０００７】
この発明では、ピンの検査の精度を向上させることを目的の一つとする。
【０００８】
また、ピンの検査の効率を向上させることを目的の一つとする。
【課題を解決するための手段】
【０００９】
この発明に係る蛍光ランプは、四本ピンが二本ずつ平行に配置され、上記二本ずつ平行に配置されピンの間に上記ピンよりも高くなるように形成された突出部を有する口金を備え、上記突出部を黒色と暗色とのいずれかにしたことを特徴とする。
【００１０】
この発明に係る蛍光ランプは、ソケットへ挿入する方向へ突出する突出部を有する口金本体と、
上記突出部を囲んで配置され上記口金本体へ固定される複数のピンとを
有する口金を備え、
上記突出部は、黒色と暗色とのいずれかであることを特徴とする。
【００１１】
上記蛍光ランプは、片口金形蛍光ランプであることを特徴とする。
【００１２】
また、この発明に係る蛍光ランプでは、着色剤の使用は、突出部分の周囲にピンが取り付けられた口金の画像を画像処理して口金に対するピンの取り付け不良を検出する場合の画像認識性向上のための口金組成物として黒色と暗色とのいずれかの着色剤を使用する。
【００１３】
また、この発明に係る蛍光ランプでは、突出部分の使用は、突出部分の周囲にピンが取り付けられた口金の画像を画像処理して口金に対するピンの取り付け不良を検出する場合の画像認識性向上のための、黒色と暗色とのいずれかに着色した突出部分を使用する。
【発明の効果】
【００１４】
この発明の好適な実施の形態によれば、ピンの検査の精度を向上させることが可能となる。また、ピンの検査にかかる作業量を削減できるため、ピンの検査の効率を向上させることができる。
【発明を実施するための最良の形態】
【００１５】
実施の形態１．
実施の形態１では、蛍光ランプの一例として片口金形蛍光ランプ１００を一例として用いて説明する。
【００１６】
図１は、片口金形蛍光ランプ１００の一例の斜視図を示した図である。
【００１７】
図２は、図１で示した片口金形蛍光ランプ１００を、構成する部品に分離して示した図である。
【００１８】
図１及び図２において、片口金形蛍光ランプ１００は、口金１１０と、カバー部１２０と、発光管１３０とを有する。
【００１９】
次に、構成要素について説明する。
【００２０】
口金１１０は、受金（器具、ソケットを有する照明器具）へ挿入する部分と、カバー部１２０とかん合する部分とを有する。また、口金１１０は、熱可塑性樹脂からなる口金本体１１１と、四つの金属製のピン１１２とを含む。口金本体１１１は、四つの穴１１３が形成され、形成された四つの穴１１３それぞれにピン１１２が圧入されている。この実施の形態では、ピン１１２を四つ有する口金１１０の一例を示しているが四つに限られるわけではない。
【００２１】
実施の形態１では、口金本体１１１は、黒色または暗色である場合（白色ではない場合）を一例として説明する。このため、図１，図２では、口金本体１１１へ斜線を付して、着色されていることを明示している。
【００２２】
カバー部１２０は、熱可塑性樹脂からなり、口金１１０と発光管１３０とを接合する。カバー部１２０は、発光管１３０を設置する穴を有する。また、カバー部１２０は、口金１１０とかん合する。
【００２３】
発光管１３０は、点灯する部分であり、カバー部１２０へ設置される。発光管１３０は、リード線（図示していない）によって電気的に接続される。
【００２４】
熱可塑性樹脂としては、ＰＢＴ（ポリブチレンテレフタレート），ＰＥＴ（ポリエチレンテレフタレート）等がある。
【００２５】
図３は、口金の詳細な図である。図３（Ａ）、（Ｂ）は、口金本体１１１の側面図を示している。図３（Ａ）は、各部位の長さを説明する図であり、口金本体１１１へ斜線を付すことを省略している。図３（Ｂ）は、口金本体１１１を黒色、あるいは、暗色とした場合の効果を示すイメージ図である。
【００２６】
さらに、口金本体１１１は、ソケットへ挿入する方向へ突出する突出部を形成している。突出部は、図３（Ａ）において、口金本体１１１のうち、少なくとも、Ｈｃで示す高さの範囲の部分であって、口金本体１１１からソケット挿入方向へ突出した部分が突出部に相当する。ピン１１２の高さＨｐと突出部の高さＨｃとは、Ｈｐ＜Ｈｃの関係にある。また、ピン１１２の外径Ｄｐと突出部の幅Ｗｃとは、Ｄｐ＜Ｗｃの関係にある。
【００２７】
また、図３では、ピン１１２は、一つの側面に二つずつ配置されている例を示しているが、二つのピン１１２は、いずれも突出部の内側に配置される。具体的には、突出部によって形成されるＨｃ×Ｗｃの四角形部分の内側に配置される。上記四角形部分は、ピン１１２の検査の場合に、ピンの背景部分となる。背景部分が黒色、あるいは、暗色であることにより、ピン１１２へ光を照射した場合の反射を抑制する。このため、ピン１１２の輪郭を明瞭にすることが可能となる。特に、ピン１１２が金属製である場合、金属光沢（金属色）が光に反射して検査しにくくなる。このような場合、背景部分が白色等の光を反射する色彩（反射率の高い色彩）である場合に比べ、背景部分が黒色、あるいは、暗色であることによって、検査を容易にし、検査の精度を向上させることが可能となる。また、背景部分の一例として四角形の形状を示したが、四角形に限られることはなく、多角形あるいは、楕円形、その他の形状であってもよい。また、背景部分は、平面に限られることはなく、立体の一部分であってもよい。例えば、図３の突出部において、二つの平面部分が接合する角の部分が背景部分となってもよい。あるいは、突出部が円柱等である場合は、曲面が背景部分となりうる。
【００２８】
蛍光ランプの製品製造工程（蛍光ランプ製造ライン）の最終検査では、ピン１１２の状態をセンサーにより検知し、画像処理により、ピン１１２の不良（圧入不良、リード線突出等の不良）検出する。画像処理する場合に、突出部が着色され、ピン１１２の背景となることによって、画像認識性を向上させることができる。このため、ピン１１２の不良検出の精度を向上させることが可能になる。
【００２９】
片口金形蛍光ランプ１００は、ＪＩＳ規格では、Ｇ２４，ＧＸ２４が一例として挙げられる。蛍光ランプが、四本のピンが二本ずつ平行して設置され、二本のピンと二本のピンとの間に突起部（突起物）を有する場合に、突起部によって形成される四角形部分を有効利用することが可能となる。
【００３０】
さらに、図１に示すように、口金本体１１１を黒色、あるいは、暗色にしても、蛍光ランプをソケットに装着した場合には、ソケットと蛍光ランプのカバー部１２０とに、口金本体１１１は、覆われる。このため、蛍光ランプの外観は、白色となり、利用者には口金本体１１１の色彩（黒色、あるいは、暗色）は見えなくなる。このことは、蛍光ランプとしては、白色が好まれ、黒色，あるいは、暗色が好まれない現状においては、消費者の好みにも合致することになる。
【００３１】
また、黒色、あるいは、暗色は、光を反射しない色彩が含まれる。暗色は、光を反射する反射率が白色の場合よりも小さい暗色を含む。図１〜図３では、口金本体１１１が黒色、あるいは、暗色である場合を示しているが、突出部の部分のみ黒色、あるいは、暗色であってもよい。ピン１１２の検査において、背景部分が黒色、あるいは、暗色であればよい。
【００３２】
実施の形態２．
また、図１〜図３では、片口金形蛍光ランプ１００を一例として示したが、これに限られるわけではない。ピン１１２が口金本体へ圧入され、かつ、突出部がピン１１２の検査において背景となる部分へ配置されている場合には、適用することが可能となる。
【００３３】
また、図２に示した位置からピンを検査する場合には、口金の背景に黒色、あるいは、暗色の背景を設置することによって、ピン１１２の検査が可能となることはいうまでもない。
【図面の簡単な説明】
【００３４】
【図１】実施の形態において説明する蛍光ランプの一例を示した図である。
【図２】図１で示した片口金形蛍光ランプを、構成する部品に分離して示した図である。
【図３】口金１１０の詳細な図である。
【符号の説明】
【００３５】
１００  片口金形蛍光ランプ、１１０  口金、１１１  口金本体、１１２  ピン、１１３  穴、１２０  カバー部、１３０  発光管。
【図１】
2005079033.tif 000003
【図２】
2005079033.tif 000004
【図３】
2005079033.tif 000005